(57)【要約】      （修正有）【課題】キー等の携行物品を有効に吊下げ保持できると共に、アクセサリーとしての機能を充分に発揮できる吊下げホルダーを提供する。【解決手段】吊下げホルダーが、携行物品を吊下げ保持する下部フック部１２を備えた板状のホルダー本体１０で構成されており、ホルダー本体は、主体部１１と、主体部の上端部領域に設けられた全体係止部１３と、主体部の下端部領域に設けられた下部フック部１２とを有する構成とされている。そして、全体係止部と下部フック部とは、同一垂線ＰＬ上に位置し、重力Ｇの方向を示すように構成されている。【選択図】図２
0003218951.tif 000002
【実用新案登録請求の範囲】
【請求項１】
携行物品を吊下げ保持する下部フック部を備えた板状のホルダー本体で構成され、
このホルダー本体は、主体部と、当該主体部の上端部領域に設けられた全体係止部とを有すると共に、前記全体係止部と下部フック部とは重力の方向を示す機能を有していることを特徴とする吊下げホルダー。
【請求項２】
前記請求項１記載の吊下げホルダーにおいて、
前記主体部の少なくとも一面には、キャラクターの絵柄が描かれていることを特徴とする吊下げホルダー。
【請求項３】
前記請求項２に記載の吊下げホルダーにおいて、
前記キャラクターの手足のいずれかの部分が、前記主体部の前記下部フック部の領域に描かれていることを特徴とする吊下げホルダー。
【請求項４】
前記請求項１ないし請求項３のいずれか一項に記載の吊下げホルダーにおいて、
前記キャラクターの絵柄が、前記下部フック部で前記キャラクターの手足のいずれかの部分が前記携行物品を吊下げ保持する形態に描かれていることを特徴とする吊下げホルダー。
【請求項５】
前記請求項１ないし請求項４のいずれか一項に記載の吊下げホルダーにおいて、
前記全体係止部の中心と前記下部フック部の中心とは同一垂線上に位置していることを特徴とする吊下げホルダー。
【請求項６】
前記請求項５に記載の吊下げホルダーにおいて、
前記ホルダー本体の形状は、前記垂線に対して左右非対称形としたことを特徴とする吊下げホルダー。
【請求項７】
前記請求項１ないし請求項６のいずれか一項に記載の吊下げホルダーにおいて、
前記全体係止部には、前記ホルダー本体を被装着部材に着脱自在に取付ける全体係止部用接続部材が設けられ、
前記下部フック部には、前記携行物品を吊下げ保持する下部フック部用接続部材が設けられることを特徴とする吊下げホルダー。
【考案の詳細な説明】
【技術分野】
【０００１】
本考案は吊下げホルダーに関し、さらに詳しくは、キャラクターが描かれたホルダー本体によって構成される吊下げホルダーに関する。
【背景技術】
【０００２】
従来、家の鍵や、職場の鍵、車や自転車の鍵等をまとめて管理するキーホルダーを、ほとんどの人が使用している。
このようなキーホルダーは、鍵を紛失しないようにし、また、必要な時にすぐに取り出して使用できるようにするという目的から、複数の鍵を使用者の身に付けることができるように、鍵を係留するリング部材やズボンのベルト等に繋げるための鎖部材等で構成されているものが多い。
【０００３】
一方で、近年では、小説，漫画，映画，アニメーション，コンピュータゲームなどに登場する主要なキャラクターを描いたものをキーホルダーの本体とすると共に、その本体をアクセサリー、つまり装飾体としてバッグ等に吊るして持ち歩く若者や学童が多くなっている。この場合、本来の実用品としてよりも、コレクター用グッズとしての役割も帯びるようになっており、使用者にとっての趣味性も満足するものが一層求められるようになってきている。
【０００４】
そして、以上に説明した一般的なキーホルダーと、キャラクターグッズとの両方を携行する人も多い。
【０００５】
また、上記のようなキャラクターを利用した吊下げ式装飾品が知られている（例えば、特許文献１参照）。
この吊下げ式装飾品では、キャラクターを立体的に造形したフィギュアを備えて構成されており、このフィギュアの足元に透明ケースが装備されている。そして、透明ケースの内部に、ご当地商品を入れ替え可能に収納できるようになっている。
【先行技術文献】
【特許文献】
【０００６】
【特許文献１】実用新案登録第３１５７４２５号公報
【考案の概要】
【考案が解決しようとする課題】
【０００７】
しかし、キーホルダーとキャラクターグッズとの両方を携行する人が、外出する際に忙しく準備した際などに、キーホルダーとキャラクターグッズとのいずれか一方を装着したとき、それで他方も装着したものと勘違いして、他方を忘れてしまうことがある。
キャラクターグッズを忘れてしまった場合は、仕事や用事等に大した影響は与えないのでそれほどの問題はない。
これに対して、会社のロッカーや自分の机の引き出し用の鍵を取付けたキーホルダーを忘れた場合、最悪の場合、仕事に取り掛かることもできず、そのキーホルダーを取りに家まで戻ることになる。
【０００８】
また、特許公報に開示された吊下げ式装飾品では、アクセサリーとして用いられているフィギュアは、立体的に造形されたものであり、そのフィギュアに装備された透明ケースは筒状に形成されている。
フィギュアを立体的に造形しなければならないため、その製作に金型等が必要となり、製作が困難であり、多くの費用も掛かる。また、透明ケースの製作も同様である。
さらに、フィギュアが立体的であり、透明ケースも筒状となっているので、ストラップ等で吊り下げたとき、動作のはずみでフィギュア等が回ってしまい、フィギュアの顔の部分が見えなくなり、後頭部が表に見えてしまうことも起こる。そうすると、せっかくフィギュアを吊るした意味合いがなくなる。
【０００９】
また、特許公報に開示された吊下げ式装飾品では、フィギュアの足元に透明ケースが一体的に設けられ、この透明ケース内にご当地を代表する模型が収納されているが、透明ケースおよびその内部の収納物がメインであり、フィギュアそのものには重きが置かれていない感じである。
そのため、フィギュアと、透明ケースおよびその内部の収納物との繋がりが感じられず、フィギュアが何か仕事を手伝ってくれている、という感じを抱かせる楽しさや、面白みがない。
【００１０】
本考案の目的は、キー等の携行物品を有効に吊下げ保持できると共に、アクセサリーとしての機能を充分に発揮できる吊下げホルダーを提供することにある。
【課題を解決するための手段】
【００１１】
本考案の吊下げホルダーは、携行物品を吊下げ保持する下部フック部を備えた板状のホルダー本体で構成され、
このホルダー本体は、主体部と、当該主体部の上端部領域に設けられた全体係止部とを有すると共に、前記全体係止部と下部フック部とは重力の方向を示す機能を有していることを特徴とする。
【考案の効果】
【００１２】
本考案の吊下げホルダーによれば、ホルダー本体が下部フック部と全体係止部とを有しており、これらの全体係止部と下部フック部とは重力の方向を示す機能を有しているので、下部フック部にキー等の携行物品を取付けると共に、全体係止部をバッグ等に取付けたとき、携行物品を重力の方向、つまり、真下方向に吊下げ保持することができる。
そのため、ホルダー本体の主体部にキャラクターの絵柄を描いた場合は、絵柄を工夫して、あたかも、キャラクターがキー等の携行物品を掴んでいるような形態にすることができ、これにより、キャラクターが物を持ってくれる、という機能と楽しさを得ることができる。
その結果、キー等の携行物品を有効に吊下げ保持できると共に、アクセサリーとしての機能を充分に発揮できる吊下げホルダーを得ることができる。
【図面の簡単な説明】
【００１３】
【図１】本考案に係る吊下げホルダーの一実施形態を示しその吊下げホルダーが吊り下げられた状態を示す全体正面図である。
【図２】前記実施形態の吊下げホルダーの詳細を示す全体正面図である。
【図３】図２におけるIII矢視図である。
【図４】前記実施形態の吊下げホルダーにキーを取付けた状態を示す正面図である。
【図５】前記実施形態の吊下げホルダーに通学証を取り付けた状態を示す正面図である。
【考案を実施するための形態】
【００１４】
以下に、図面を参照して、本考案の吊下げホルダーの一実施形態を説明する。
【００１５】
図１〜図３には、本実施形態の吊下げホルダーが示されている。
図１に示すように、本実施形態の吊下げホルダー１０は、携行物品としてのキーＫ（図  ４参照）や、通学証（図５参照）Ｍ等を吊下げ保持する下部フック部１２を備えた板状のホルダー本体１０で構成されている。
【００１６】
ホルダー本体１０は、その上端部領域を全体係止部用接続部材である二重カン（以下、上部二重カンという）２１およびカラビナ２２（商品名）を介して吊り下げ支持されるようになっている。また、ホルダー本体１０の下部フック部１２には、下部フック部用接続部材である二重カン（以下、下部二重カンという）２０が取り付けられ、この下部二重カン２０に携行品が吊り下げ支持されるようになっている。
【００１７】
図２に詳細を示すように、ホルダー本体１０は、主体部１１と、当該主体部１１の上端部領域に設けられた全体係止部１３と、上記下部フック部１２とを有している。
主体部１１の少なくとも表面には、例えば、少女漫画の主人公がキャラクターとなった絵柄Ｐが描かれている。この絵柄Ｐは、印刷により行ってもよい。
なお、キャラクターとしては、少女漫画の主人公に限らず、小説，漫画，映画，アニメーション，コンピュータゲームなどに登場する主要な人物や動物あるいはロボット等を用いてもよい。
【００１８】
主体部１１の下部フック部１２の領域には、キャラクターの手足のいずれか、本実施形態では女の子の両手の手先部１１Ａ，１１Ｂが描かれている。
キャラクターの絵柄Ｐは、上述のように、漫画の主人公である女の子が、両手で何かを掴むような形態、具体的には、図４に示すように、下部二重カン２０を介して携行品としてのキーＫを掴むような形態で描かれている。
また、図５に示すように、下部二重カン２０を介して携行品としての通学証Ｍを掴むような形態で描かれている。
そして、上記いずれの場合でも、その女の子の服の背中部分が前記上部二重カン２１を介して前記カラビナ２２に吊下げられた状態の絵柄となっている。
【００１９】
上述のように、下部フック部１２の領域には、女の子の両手の手先部１１Ａ，１１Ｂが描かれており、且つ手先部１１Ａ，１１Ｂの延長上には二重カン２０が吊下げられるようになっている。そのため、女の子が下部フック部１２の領域で二重カン２０を掴んでいる状態であり、この下部二重カン２０にキーＫ等を吊るしておくことで、女の子が、あたかもキーＫ等をぶら下げているような感覚を覚えることができる。
そして、そのことにより、従来のキャラクターキーホルダーにはない、キャラクターが物を持ってくれる、という機能と楽しさを得ることができる。言い換えれば、キャラクターが自分の手伝いをしてくれている、かのような新しい体験価値が生じるものである。
【００２０】
ホルダー本体１０は、図３に示すように、所定厚さ寸法ｔの板状部材で形成されている。そして、このホルダー本体１０は、例えば、ＰＰ（ポリプロピレン）等の合成樹脂製とされている。
ただし、合成樹脂製の板状部材に限らず、例えば、ダイカストにより形成されたアルミ製のプレート材や、プレス等により形成されたステンレス製のプレート材等で形成してもよい。
【００２１】
ここで、図２に示すように、ホルダー本体１０の全体係止部１３の中心と、下部フック部１２の中心とは同一垂線ＰＬ上に位置している。
全体係止部１３は、キャラクターである女の子の服の背中部を摘み上げた形状の上端膨出部１３Ａと、この上端膨出部１３Ａに形成された所定径の孔部１３Ｂとで構成されている。
【００２２】
また、前記下部フック部１２には、キャラクターである女の子の両手を伸ばした状態が描かれた形状の下端膨出部１２Ａと、この下端膨出部１２Ａに形成された所定径の孔部１２Ｂとで構成されている。
【００２３】
ここで、全体係止部１３を構成する上端膨出部１３Ａの孔部１３Ｂと、下部フック部１２を構成する下端膨出部１２Ａの孔部１２Ｂとをさらに詳細に説明すると、それぞれの孔部１３Ｂ，１２Ｂの水平方向の中心部が、同一垂線ＰＬ上に位置するように配置されている。
【００２４】
上端膨出部１３Ａの孔部１３Ｂと、下部フック部１２を構成する下端膨出部１２Ａの孔部１２Ｂとの中心部が同一垂線ＰＬ上に位置しているので、図２に示すように、ホルダー本体１０の主体部１１の形状が、垂線ＰＬに対して左右非対称形に形成されている場合でも、キーＫ等は垂下保持されることになる。
【００２５】
また、図２に示すように、キャラクターである女の子は、垂線ＰＬに対して、その全体形状が左右非対称形に形成されているが、垂線ＰＬに対して頭部側領域の面積と後ろ足側領域の面積とは略同じ面積を有している。
そのため、上端膨出部１３Ａの孔部１３Ｂと、下部フック部１２を構成する下端膨出部１２Ａの孔部１２Ｂとの中心部が同一垂線ＰＬ上に位置しているので、垂線ＰＬに対して左右非対称形に形成されていても、左右の面積が略同一なので、下部フック部１２にキーＫ等を取付け、上端膨出部１３Ａをカラビナ２２等に取付けたときでも、全体が左右どちらかに偏ることがなく、垂下保持される。
つまり、上端膨出部１３Ａの孔部１３Ｂと、下端膨出部１２Ａの孔部１２Ｂとは、重力Ｇの方向を示す機能を有していることになる。
【００２６】
全体係止部１３を構成する上端膨出部１３Ａの孔部１３Ｂには、ホルダー本体１０を、ベルト通しやバッグ等の被装着部材Ａに着脱自在に取付ける前記上部二重カン２１が設けられ、下部フック部１２を構成する下端膨出部１２Ａの孔部１２Ｂには、キー等の携行物品Ｋを吊下げ保持する前記下部二重カン２０が設けられるようになっている。
【００２７】
本実施形態では、上部二重カン２１として、例えば１２ｍｍのものが用いられており、この上部二重カン２１が、前述のように、カラビナ２２に係止されるようになっている。
なお、このカラビナ２２は、その下部に、上部二重カン２１を係止可能とする孔２２Ａが形成されている形状のものである。また、カラビナ２２は、本実施形態の孔２２Ａを有する形状に限らず、どのようなものでもよい。
さらに、カラビナ２２は、軽くて強度も大きなアルミ製とされ、色彩も、赤色、青色等多種にわたっているが、キャラクターの色彩に合わせて使うと好適である。
また、前記下部二重カン２０としては、例えば１５ｍｍのものが用いられており、この下部二重カン２０にキーＫ等が吊下げ保持されるようになっている。
【００２８】
そして、ホルダー本体１０の上端部領域に上部二重カン２１が接続され、また、ホルダー本体１０の下端部に下部二重カン２０が接続された状態が、図３に示されている。
ここで、下部二重カン２０に、例えばキーＫを取付けておいて、カラビナ２２をズボンのベルト通し、あるいはバッグに取付ける等して用いることができる。
【００２９】
次に、図４に基づいて、上記吊下げホルダー１０の一使用例を説明する。
図４に示すように、吊下げホルダー１０には、その下部フック部１２に下部二重カン２０を介して携行品としての２個のキーＫ，Ｋが吊下げ保持されている。
【００３０】
上記のように、下部フック部１２の領域において、女の子が両手の手先部１１Ａ，１１Ｂで二重カン２０を掴んだ状態となっているので、この下部二重カン２０にキーＫ等を吊るしておくことで、女の子があたかもキーＫ等をぶら下げているような感覚を覚えることができる。
また、そのことにより、従来のキャラクターキーホルダーにはない、キャラクターが、「物を持ってくれている」、言い換えれば、あたかも、キャラクターが自分の手伝いをしてくれている、かのような新しい体験価値と、楽しさとを得ることができる。
【００３１】
次に、図５に基づいて、上記吊下げホルダー１０の別の使用例を説明する。
図５に示すように、吊下げホルダー１０には、その下部フック部１２に下部二重カン２０を介して携行品としての通学証Ｍが吊下げ保持されている。
【００３２】
上記のように、下部フック部１２の領域において、女の子が両手の手先部１１Ａ，１１Ｂで二重カン２０を掴んだ状態となっているので、この下部二重カン２０に通学証Ｍを吊るしておくことで、女の子があたかも通学証Ｍをぶら下げているような感覚を覚えることができる。
また、そのことにより、従来のキャラクターキーホルダーにはない、キャラクターが、「物を持ってくれている」、言い換えれば、あたかも、キャラクターが自分の手伝いをしてくれている、かのような新しい体験価値と、楽しさとを得ることができる。
【００３３】
以上のような本実施形態によれば、次のような効果が得られる。
（１）ホルダー本体１０が下部フック部１２と全体係止部１３とを有し、下部フック部１２が、下端膨出部１２Ａと孔部１２Ｂとで構成され、全体係止部１３が、上端膨出部１３Ａと孔部１３Ｂとで構成されている。これらの孔部１２Ｂと孔部１３Ｂとは、それぞれの中心部が同一垂線ＰＬ上に位置しているので、各孔部１２Ｂ，１３Ｂは重力Ｇの方向を示す機能を有している。そのため、下部フック部１２にキーＫ等の携行物品を取付けると共に、全体係止部１３をバッグ等に取付けたとき、携行物品を重力Ｇの方向、つまり、真下方向に吊下げ保持することができる。
その結果、キーＫ等の携行物品を有効に吊下げ保持できると共に、アクセサリーとしての機能を充分に発揮できる吊下げホルダー１０を得ることができる。
【００３４】
（２）キャラクターとしての少女マンガの主人公である女の子が、下部フック部１２の領域において、女の子が両手の手先部１１Ａ，１１Ｂで二重カン２０を掴んだ状態となっているので、この下部二重カン２０にキーＫ等を吊るすことで、女の子があたかもキーＫ等をぶら下げているような感覚を覚えることができる。
その結果、従来のキャラクターキーホルダーにはない、キャラクターが、「物を持ってくれている」、言い換えれば、あたかも、キャラクターが自分の手伝いをしてくれている、かのような新しい体験価値と、楽しさとを得ることができる。
【００３５】
（３）ホルダー本体１０の上端膨出部１３Ａの孔部１３Ｂと、下端膨出部１２Ａの孔部１２Ｂとの中心部が同一垂線ＰＬ上に位置しており、これらは重力Ｇの方向を示しているので、ホルダー本体１０の主体部１１の形状が、垂線ＰＬに対して左右非対称形に形成されていても、左右の面積が略同一であれば、下部フック部１２にキーＫ等を取付け、上端膨出部１３Ａをカラビナ２２等に取付けたときでも、全体が左右どちらかに偏ることがなく、垂下保持することができる。
【００３６】
（４）ホルダー本体１０が所定厚さｔの樹脂製の板部材で形成されているので、実際に使用するとき、向きが変わることなく、腰や大腿部等に密着する。その結果、表面部分に描かれたキャラクターの絵柄Ｐが人目に付くようになるので、キャラクターを所持していることを誇示することができる。
【００３７】
（５）ホルダー本体１０が所定厚さｔの樹脂製の板部材で形成されているので、主体部１１の表面にキャラクターの絵柄Ｐを容易に描いたり印刷することができる。
【００３８】
（６）キャラクターとして、実施形態の少女漫画の主人公の他、小説，漫画，映画，アニメーション，コンピュータゲームなどに登場する主要な人物や動物あるいはロボット等を用いることができるので、各種のキャラクターを利用した複数の吊下げホルダーを揃えることで、変化を楽しむことができる。
【００３９】
以上、上記実施形態を参照して本考案を説明したが、本考案は上記実施形態に限定されるものではない。本考案の構成や詳細については、当業者が理解し得るさまざまな変更を加えることができる。また、本考案には、上記実施形態の構成の一部又は全部を相互に適宜組み合わせたものも含まれる。
【００４０】
例えば、前記実施形態では、少女マンガの主人公の女の子をキャラクターとして用い、その絵柄Ｐを主体部１１の表面に描いたものであったが、これに限らない。表面と同じ絵柄Ｐを裏面にも描いてもよい。このようにすれば、主体部１１が回転しても、常に同じ絵柄Ｐを見せることができる。
【００４１】
また、前記実施形態では、キャラクターとして、少女マンガの主人公の女の子を用いたが、これに限らず、キャラクターとして、小説，漫画，映画，アニメーション，コンピュータゲームなどに登場する主要な人物や動物あるいはロボット等の他、乗り物や植物などを擬人化したものや各種のマスコット等や、松等の植物を擬人化したもの、クワガタ等の昆虫や、犬、猫等の動物、イルカ等の魚類もキャラクターとして用いることができる。
【００４２】
上記のような各種のキャラクターを用いる場合でも、本考案の吊り下げホルダー１０では、キャラクターが、カラビナ等にぶら下がりながら、何かを支え持っている、と言う構成は同じである。
例えば、植物の場合には、松の根の部分でキーＫ等をぶら下げ、また、松の梢の上部をカラビナ２２に吊るしたような雰囲気を出すようにすればよい。
また、昆虫や犬等の動物、イルカ等の場合も、それぞれの手足でキーＫ等をぶら下げ、背中部分を吊るすようにすればよい。
【００４３】
また、前記実施形態では、ホルダー本体１０は、上部二重カン２１およびカラビナ２２で吊下げ保持されるようになっているが、これに限らない、上部二重カン２１、カラビナ２２に換えて、例えば、組紐状の紐状部材で吊るすようにしてもよい。
【産業上の利用可能性】
【００４４】
本考案は、キャラクターを描いたプレートを備えた吊下げホルダー一般に適用可能である。
【符号の説明】
【００４５】
１０    ホルダー本体（吊下げホルダー）
１１    主体部
１２    下部フック部
１２Ａ  下部膨出部
１２Ｂ  孔部
１３    全体係止部
１３Ａ  上部膨出部
１３Ｂ  孔部
２０    下部二重カン（下部フック部用接続部材）
２１    上部二重カン（全体係止部用接続部材）
Ｋ    キー（携行品）
Ｍ    通学証（携行品）
ＰＬ    垂線
Ｇ    重力
【図１】
0003218951.tif 000003
【図２】
0003218951.tif 000004
【図３】
0003218951.tif 000005
【図４】
0003218951.tif 000006
【図５】
0003218951.tif 000007